(57)【要約】当該装置は、情報担体（１）上の第１アンテナ（２２）との電磁結合を得る通信手段と、前記情報担体を軸方向にクランプする支持構成要素（６１）及びクランピング構成要素（６２）と、該クランピング構成要素（６２）を支持するブリッジ部（６３）と、前記クランピング構成要素（６２）に結合されている第２アンテナ（６６）とを備える。前記第２アンテナ（６６）に対して軸方向に対向しては、前記ブリッジ部（６３）には、少なくとも部分的に、金属がない。渦電流を防止するためである。
2005532647.tif 000002
【特許請求の範囲】
【請求項１】
情報担体上のアンテナとの電磁結合を得る通信手段を備える装置であって、前記情報担体を間にクランプすることができる支持体及び押圧体と、前記押圧体が内部で自由に動くことができるブリッジ部と、前記通信手段に結合された第２アンテナとを備える装置において、前記ブリッジ部には、少なくとも部分的に、前記第２アンテナに軸方向に対向しては、金属がないことを特徴とする装置。
【請求項２】
前記ブリッジ部の少なくとも部分的に金属がない部分が、少なくとも１つの放射状の中断部を有することを特徴とする、請求項1に記載の装置。
【請求項３】
前記ブリッジ部の少なくとも部分的に金属がない部分が、半径方向に、溝を有することを特徴とする、請求項１に記載の装置。
【請求項４】
情報担体上の第１アンテナと通信手段に結合されている第２アンテナとの電磁結合を得る前記通信手段と、支持体と、前記情報担体を軸方向にクランプする押圧体とを有する装置のためのブリッジ部であって、前記ブリッジ部が前記押圧体を支持しているブリッジ部において、前記ブリッジ部には、少なくとも部分的に、前記第２アンテナに対して軸方向に対向しては、金属がないことを特徴とする、ブリッジ部。
【請求項５】
前記ブリッジ部の少なくとも部分的に金属がない部分が、少なくとも１つの放射状の中断部を有することを特徴とする、請求項４に記載のブリッジ部。
【請求項６】
前記ブリッジ部の少なくとも部分的に金属がない部分が、半径方向に、溝を有することを特徴とする、請求項４に記載のブリッジ部。
【発明の詳細な説明】
【技術分野】
【０００１】
本発明は、情報担体上のアンテナとの電磁結合を得る通信手段を備え、且つ、前記情報担体を間にクランプすることができる支持体及び押圧体、前記押圧体が内部で自由に動くことができるブリッジ部、並びに前記通信手段に接続されている第２アンテナを備える装置に関する。
【０００２】
本発明は、更に、情報担体を有するシステムに関し、該情報担体は、反射金属層、集積回路、及び該集積回路に接続されているアンテナを備えており、前記システムは、情報担体上のアンテナとの電磁結合を得る通信手段を備える装置であって、前記情報担体を間にクランプすることができる支持体及び押圧体、前記押圧体が内部で自由に動くことができるブリッジ部、並びに前記通信手段に接続されている第２アンテナを備える装置を有する。
【背景技術】
【０００３】
多くの情報担体が、現在、市場に出ており、該情報担体上でデータは頒布されることができる。これら情報担体は、大抵、現在、ＣＤ、ＣＤ−ＲＯＭ又はＤＶＤ−ＲＯＭのような光ディスクである。このようなディスクは、デジタル写真、フィルム及び音楽アルバムのような比較的大量のデータを、簡単な仕方で記憶し、ファイルするのに使用されることができる。近頃では、十分な量の装置が、消費者市場で利用可能であり、これによって、個人が、自分自身のＣＤ編集を作成することができ、既存のＣＤ、ＣＤ−ＲＯＭ又はＤＶＤ−ＲＯＭディスクのコピーを作成することもできる。前記ＣＤ上のデータ、即ちデジタルファイルは、大抵、著作権によって保護されている。ロイヤリティは、通常、販売されている各ＣＤに対して、関連する情報担体上に記憶されているデジタル作品の所有者に支払われる。これらデジタル作品の違法コピー及び頒布は、例えば、アーティスト、製作者及びソフトウェア開発者が、大量の収入利益を奪われるという結果を有している。デジタル媒体の発行者は、著作権によって保護されているこれらのアイテムの違法コピーを防止しようと、警報を出している。
【０００４】
上述のコピー問題に対する解決策として考案されたシステムの１つは、符号化キーによるデジタル作品のエンコード、及びデジタルユーザ権利の付加である。前記デジタルユーザ権利によって、例えば、ＣＤがコピーされることができる最大回数に、又はＣＤが再生されることができる最大回数に、制限が課される。前記デジタル作品を、これに適する装置上で、正しいユーザ権利及びデコードキーを有さずに再生することは、不可能である。
【０００５】
前記デコードキー及びユーザ権利は、購入の間に、前記デジタル作品と共に供給される。これらのキー及びユーザ権利は、該キーのコピーを不可能にするように、情報担体のウォブル内に記憶されることができる。これらのキーを、所謂、情報担体の隠れチャネル内に隠すことも可能である。
【０００６】
他の可能性として、ますます考えられているものは、前記デジタル作品に対するデコードキー及びユーザ権利を、情報担体上に固定されている別個のメモリ内に記憶することである。この別個のメモリは、例えば、正しいデコードキーを送信するために、通信手段を介して、情報担体のプレーヤと通信することができる集積回路である。前記集積回路内の情報は、前記情報担体上に記憶されているデジタル作品に特有のものである。
【０００７】
前記のようなシステムであって、集積回路又はチップが、実情報から分離して、ユーザ権利のような付加情報を記憶する目的で情報担体上に設けられているシステムは、米国特許第ＵＳ６、０４４、０４６号明細書から知られている。このチップは、該チップの動作に必要なエネルギを得る電磁受信機手段を備えている。更に、電磁送信機及び受信機手段が、前記チップと前記再生装置との間の通信を可能にするように、前記情報担体のチップ上に設けられている。
【０００８】
前記通信を可能にする通信手段は、前記再生装置内に設けられている。前記装置内の通信手段は、集積回路、所謂読出しＩＣと、アンテナとを有する。
【０００９】
前記装置は、前記情報担体からの情報を読むことができる光学読出し手段を、更に有する。光学情報担体の既知のシステム内のこれらの読出し手段は、レーザー源、及び必要な光学部品及び処理手段によって、形成されている。
【発明の開示】
【発明が解決しようとする課題】
【００１０】
前記既知の情報担体の不利な点は、前記チップと前記再生装置内に設けられているＩＣとの間の電磁通信が、最適ではないことにある。
【００１１】
本発明の目的は、冒頭段落に記載した種類の装置であって、前記チップと読出しＩＣとの間の通信を改善する装置を提供することにある。
【課題を解決するための手段】
【００１２】
前記目的は、前記ブリッジ部には、少なくとも部分的に、前記第２アンテナに軸方向に対向しては、金属層がないことによって達成される。
【００１３】
本発明は、前記渦電流が、前記情報担体上のチップとの電磁結合を達成する通信手段を備える前記装置内の該通信手段のアンテナに隣接している金属ブリッジ部内で生じるという認識に基づく。
【００１４】
前記通信手段のコイル状アンテナは、電流を通過させる際に、磁場を発生する。磁束の変化は、ファラデーの法則に従って電場を発生させる。電場は、前記アンテナの真上の金属層内にも誘導される。この結果、前記電場の方向をたどる自由電荷キャリアの運動が、生じる。円電流が、このように発生される、即ち渦電流である。前記電流は、反対の方向に磁場を発生し（レンツの法則）、これによって、全磁束は、著しく減少する。
【００１５】
従って、前記渦電流は、前記チップと前記読出しＩＣとの間の通信に悪影響を及ぼす。このことは、前記ブリッジ部の金属層が、少なくとも部分的に、前記アンテナのレベルで取り除かれ、渦電流がこの領域内で、生じることができなくなるようにすることで、部分的に防止することができる。
【００１６】
前記冒頭段落に記載した種類のシステムは、前記ブリッジ部には、前記第２アンテナのレベルで、少なくとも部分的に、金属がないことを特徴とする。
【発明を実施するための最良の形態】
【００１７】
本発明による装置及びシステムのこれら及び他の見地は、添付図面を参照して、以下で詳細に説明される。
【００１８】
前記図面は、実尺通りに描かれているものではなく、対応する構成要素には、同一の符号を付してある。更に、前記構成要素の相互の寸法比は、該当する場合には、明瞭化の目的のために、前記図面内で必ずしも厳密に描かれているわけではない。当業者であれば、本発明の代替的で等価な実施例が、本発明の要旨から逸脱することなしに可能であること、及び本発明の範囲は添付請求項のみによって限定されることは、明らかであろう。従って、以下に記載される実施例は、ＣＤのような、集積回路を有する情報担体に関連する。本発明の原理を、ＣＤ−Ｒ、ＣＤ、ＤＶＤ＋ＲＷ、ＣＤ−Ｉ及び光学情報担体のファミリの他のメンバのような、他の回転する情報担体にも、同様に良く適用することができるのことは、明らかであろう。同様に、当業者にとって、再生装置の実施例に関する以下の記載は、光学記憶ユニット上に書き込む記録装置にも適用可能であることは明らかであろう。
【００１９】
図１は、本発明による装置によって読み出されることができる情報担体を示している。前記情報担体は、この例において、光学的に読取り可能な記憶ユニットを備えるディスクである。情報担体１は、当該ディスクの中央に位置する中央孔１１を有する。更に、いくつかのエリアが、当該情報担体１上で規定されており、該エリアは、例えば、異なる物理特性をそれぞれ有することができる。当該ディスクは、２つの物体間で当該ディスクをクランプするのに使用されるクランピングエリア１２を有する。このクランプによって、当該ディスクは、非接触態様で、動き、当該ディスクの中央に関して回転することが可能である。このことは、以下で、当該システムが議論される際に、詳細に記載されるであろう。更に、情報エリア１３が、当該ディスク上に規定されており、ここに光学的に読取り可能な記憶ユニットが設けられている。この記憶ユニットは、らせん状又は同心状のパターンで配されているトラックを有する。前記情報担体上のトラックを、当業者に知られている読出しヘッドによって読出すことが可能である。前記読出しヘッドは、特に、光線を集束させる光学システムを有し、該光線は、例えば、レーザダイオードによって発生される。前記光学記憶ユニットは、いくつかの層によって構築されており、これらの層の間には、ポリカーボネート層及び金属層がある。遷移領域１４が、クランピングエリア１２と情報エリア１３との間に設けられている。遷移領域１４も、従来技術における前記ポリカーボネート層及び金属層によって構成されている。遷移領域１４を、以下で、ＣｉＤ領域と称す。
【００２０】
光学情報担体１は、更に、集積回路２１とアンテナ２２とを有し、該アンテナ２２は、該集積回路（以下、チップと称す）２１に接続されている。図１において、前記チップと前記アンテナが前記ＣｉＤ領域内に示されている当該情報担体の実施例を見ることができる。前記アンテナは、好ましくはコイル状アンテナである。前記アンテナは、常に、ＣｉＤ領域内に位置されている。前記チップの位置決めに関しては、何の制限も無く、例えば、情報エリア内にチップを位置させることも可能であるが、ＣｉＤ領域が好ましい。前記チップは、例えば、Philips Electronics N.V.社製のＭｉＦａｒｅ  ＲＦＩＤチップであり、Klaus FinkenzellerによるRFID  HANDBOOK  P.282（John Wiley ＆ Sonsによって出版）にも記載されている。
【００２１】
前記チップは、情報を記憶する可能性を提供する。この情報は、例えば、当該情報担体上に符号化された形態で記憶されているデジタル作品をデコードするデコードキーであり得る。情報担体上のデジタル作品の違法コピー及び頒布は、該情報担体自体にではなく、別個のメモリ内にデコードキーを設けることによって、より困難になる。前記チップ内の記憶容量の使用の他の例は、テーブルオブコンテンツの記憶である。このテーブルオブコンテンツには、デジタル作品が、例えば、複数の音楽アルバムを有する場合には、情報担体上に記憶されている音楽曲目の全タイトル及び演奏者を含むこともできる。次いで、チップ内のこの情報は、読出されることができ、例えば、スクリーン上に表示されることができる。
【００２２】
前記チップ及びアンテナは、当該システムの議論において詳細に説明されるように、再生装置内の読出しＩＣに接続されている他のアンテナとの電磁結合を実現することができる。
【００２３】
当該ディスク上の前記チップと、前記読出しＩＣとの間の通信を改善するために、ＣｉＤ領域内には、金属層が存在しない。前記金属層は、図１の情報担体の実施例の平面図内に斜線部で示されている。金属層は、前記アンテナに隣接して存在しないので、前記電磁結合を妨害する渦電流は、生じないであろう。
【００２４】
図２は、前記情報担体と装置とを有するシステムの実施例の断面図である。前記装置は、特に、読出し手段（図示略）を有しており、該読出し手段とは、例えば、光学記憶ユニットから情報を読出す読出しヘッドである。前記装置は、更に、情報担体１を置くことができる支持体６１を有する。次いで、押圧体６２が、情報担体をクランプするために、該情報担体上に固定される。支持体６１は、シャフトを有しており、該シャフトは、情報担体１の中央孔を通過される。押圧体６２は、支持体６１の前記シャフトに固定される。従って、この配置において、情報担体１は、支持体６１と押圧体６２との間にある。前記情報担体１は、該情報担体１のクランピングエリアで、支持体６１及び押圧体６２と接触する。押圧体６２は、ブリッジ部６３内に位置されており、該ブリッジ部６３内では、押圧体６２は、支持体６１の方向に自由に動くことができ、支持体６１の軸のまわりを回転することができる。更に、前記装置は、電気モータ６４を有し、当業者によく知られているように、該電気モータ６４は、支持体６１に固定され、情報担体１が該装置内で回転するように構成される。
【００２５】
前記装置は、上述した図１に記載されているアンテナ及びチップを備える情報担体１との電磁結合を確立する通信手段を更に有する。前記装置の通信手段は、読出しＩＣ６５及び別のアンテナ６６を有する。前記読出しＩＣは、例えば、Philips Electronics N.V.社製のＭｉＦａｒｅ  ＲＦＩＤ  リーダＩＣであり、上述で引用したKlaus FinkenzellerによるRFID  HANDBOOK（John Wiley ＆ Sonsによって出版）にも記載されている。このリーダＩＣは、１３．５６ＭＨｚで動作し、これは、約２２ｍの電磁波の波長に対応する。前記２つのアンテナ間の距離は、２２ｍよりも非常に短いので、全ては、磁束として、みなされることができる。前記アンテナ６６は、前記リーダＩＣに接続されており、コイル型又は同心状の特徴を有する。
【００２６】
前記装置の通信手段のアンテナ６６は、最良の結合を得るために、情報担体上のアンテナの上方で垂直に配されることが好ましい。前記結合は、特に、当該情報担体が、前記装置内に在って、該情報担体の光学記憶ユニットが、読出されているときに、実現されなくてはならない。当該装置内のアンテナは、例えば、図６に示されている情報担体上のアンテナの上方で垂直に、ブリッジ６３に固定されなくてはならない。当業者であれば、代替的な実施例も可能であることが明らかであろう。
【００２７】
図３は、本発明による装置のブリッジ部及び押圧体の実施例を示している。金属ブリッジ部６３は、押圧体６２を支持している。前記ブリッジ部の下に、前記通信手段のアンテナ６６が固定されている。このアンテナは、同心状である。前記押圧体は、前記情報担体を、前記支持体のシャフトに対して軸の方向にクランプする。本発明のこの実施例においては、前記ブリッジ部には、前記押圧体のシャフトから見て半径方向に、凹部が設けられている。これらの凹部は、前記アンテナに対して軸方向に配される。金属の閉路は、前記アンテナの近傍に存在しないので、前記チップと読出しＩＣとの間の通信に悪影響を及ぼす渦電流は、発生しない。
【００２８】
図４は、図３のＩＶ−ＩＶ線に沿って切断した、前記ブリッジ部及び押圧体の側断面図である。
【００２９】
図５は、図３のＶ−Ｖ線に沿って切断した、前記ブリッジ部及び押圧体の側断面図である。
【００３０】
図６は、本発明による装置のブリッジ部及び押圧体の実施例の平面図である。前記ブリッジ部は、この実施例において、半径方向の溝６８によって、中断されている。前記ブリッジ部には、少なくとも部分的に、前記第２アンテナに軸方向に対向しては、金属がない。
【００３１】
図７は、前記装置の通信手段と、前記情報担体上のチップ及びアンテナとの回路図である。当業者に知られているように、第１コイルを通過して時間的に変化する電流は、時間的に変化する磁束を発生する。インダクタンスの法則によれば、前記第１コイル内に電圧が誘導されるだけでなく、第２コイルが前記発生された磁束の一部を含む場合、該第２コイル内にも電圧が誘導される。
【００３２】
読出しＩＣ６５に接続されているアンテナ６６内の前記変化する磁束は、相互誘導によって、情報担体１上のチップ２１に接続されているアンテナ２２内に電圧を誘導する。このようにして、電磁結合による前記情報担体上のチップと当該装置内の読出しＩＣとの間の通信が、行われることができる。
【図面の簡単な説明】
【００３３】
【図１】当該情報担体の実施例の平面図である。
【図２】情報担体及び装置を有する当該システムの実施例の断面図である。
【図３】本発明による装置のブリッジ部及び押圧体の平面図である。
【図４】図３のＩＶ−ＩＶ線に沿って切断した、前記ブリッジ部及び押圧体の側断面図である。
【図５】図３のＶ−Ｖ線に沿って切断した、前記ブリッジ部及び押圧体の側断面図である。
【図６】本発明による装置のブリッジ部及び押圧体の実施例の平面図である。
【図７】当該装置の通信手段と、当該情報担体上のチップ及びアンテナとの回路図である。
【図１】
2005532647.tif 000003
【図２】
2005532647.tif 000004
【図３】
2005532647.tif 000005
【図４】
2005532647.tif 000006
【図５】
2005532647.tif 000007
【図６】
2005532647.tif 000008
【図７】
2005532647.tif 000009
【国際調査報告】
2005532647.tif 000010
2005532647.tif 000011